(57)【要約】【課題】  ボビンに巻きつけた電線（リッツ線）の絡げ工程を容易にすると共に、電線接続用ピンを基板接続用ピンとしても機能させることにより、基板接続用ピンとしての電気的な抵抗を低減させ得る形状のピンを備えた変圧器のピン構造を提供する。【解決手段】  本発明の変圧器のピン構造は、変圧器のボビンに巻き付けられている電線を、対応する基板接続用ピンに接続するため、上記基板接続用ピンと電気的に接続又は一体形成されており、かつ、変圧器の外側に向いて伸びている電線接続用ピンを、備える変圧器のピン構造において、上記電線接続用ピンが、伸長方向の途中で曲がっていることを特徴とする。【選択図】  図１
2005197520.tif 000002
【特許請求の範囲】
【請求項１】
変圧器のボビンに巻き付けられている電線を、対応する基板接続用ピンに接続するため、上記基板接続用ピンと電気的に接続又は一体形成されており、かつ、変圧器の外側に向いて伸びている電線接続用ピンを、備える変圧器のピン構造において、
上記電線接続用ピンが、伸長方向の途中で曲がっていることを特徴とする変圧器のピン構造。
【請求項２】
上記電線接続用ピンが、基板接続用ピンとして使用できる方向に曲がっていることを特徴とする、請求項１に記載の変圧器のピン構造。
【発明の詳細な説明】
【技術分野】
【０００１】
本発明は、電流共振型のスイッチング電源等に用いる変圧器のピン構造に関し、特に、変圧器のボビンに巻きつけられている電線（１次巻線及び２次巻線の電線）を、対応する基板接続用ピンに接続するのに用いる電線接続用ピンのピン構造に関するものである。上記基板接続用ピンは、変圧器を基板上の回路に実装する際に用いるピンのことをいう。
【背景技術】
【０００２】
スイッチング電源等に用いる変圧器は、所定の間隙を持って１次巻線及び２次巻線の巻き付けられたボビンに所定の誘磁率の鉄芯を挿入し、各巻線を対応する基板接続用ピンにつながっている電線接続用ピンに巻き付け、半田付けを行い、半田付けを行った後の状態のコア及びボビンをワニス含浸して固定したものである。このような変圧器は、例えば、以下の特許文献１に詳しく開示されている。
【特許文献１】特開２００２−１５３０５９号公報
【発明の開示】
【発明が解決しようとする課題】
【０００３】
図３（ａ）は、従来の変圧器１００の正面図であり、（ｂ）は（ａ）の状態の変圧器１００を矢印ｂ方向より見た側面図であり、（ｃ）は（ｂ）の状態の変圧器１００を矢印ｃ方向より見た底面図である。変圧器１００は、１次側巻線部分１０３及び２次側巻線部分１０４を有するボビン１０２に、鉄芯１０５ａを備えるコア１０５を取り付けたものである。図３（ｂ）に示すように、ボビン２の底部には、当該変圧器１００を図示しない基板に実装するのに用いる基板接続用ピン１２０〜１２６，１２７〜１３３に、電気的に接続又は一体形成されている，電線接続用ピン１１３〜１１９，１０６〜１１２が設けられている。上記基板接続用ピン１２０〜１２６，１２７〜１３３は、変圧器１００の外側、本例の場合、上記図示しない基板に水平な方向に向けて伸びている。また、図３（ｃ）に示すように、ボビン１０２の１次側巻線部分１０３より延びる電線は、隣り合う信号線の接触を防ぐガイド溝１３０ａ，１３０ｂを介して電線接続用ピン１１３〜１１９に接続されている。また、ボビン１０２の２次側巻線部分１０４より延びる電線は、ガイド溝１４０ａ，１４０ｂを介して電線接続用ピン１０６〜１１２に接続されている。
【０００４】
上記構成の変圧器１００では、電線接続用ピンを含めた占有面積を小さくするため、電線接続用ピン１０６〜１１２、及び、電線接続用ピン１１３〜１１９は短めに設定されている。このため、１次側巻線部分１０３及び２次側巻線部分１０４より引き出した電線を電線接続用ピンに１重ぐらいしか巻き付けることができず、半田付けするまでの間、電線を正確な位置に保持しておくことが難しかった。
【０００５】
電線を電線接続用ピンに２重、３重と巻きつけられるようにするには、上記電線接続用ピンを伸ばせばよいが、この方法だと電線接続用ピンを含めた変圧器としての占有面積が大きくなってしまうという問題以外に、使用する電線の太さにより２重、３重と巻きつけた際に要する電線接続用ピンの長さが異なるため、電線接続用ピンの長さに過不足が生じやすく、好ましくない。
【０００６】
本発明は、ボビンに巻きつけた電線（リッツ線）の電線接続用ピンへの絡げ工程を容易にし、更には、電線接続用ピンを基板接続用ピンとしても機能させることにより、基板接続用ピンとしての電気的な抵抗を低減させ得る形状のピンを備えた変圧器を提供することを目的とする。
【課題を解決するための手段】
【０００７】
本発明の第１の変圧器のピン構造は、変圧器のボビンに巻き付けられている電線を、対応する基板接続用ピンに接続するため、上記基板接続用ピンと電気的に接続又は一体形成されており、かつ、変圧器の外側に向いて伸びている電線接続用ピンを、備える変圧器のピン構造において、上記電線接続用ピンが、伸長方向の途中で曲がっていることを特徴とする。
【０００８】
本発明の第２の変圧器のピン構造は、上記第１の変圧器のピン構造であって、上記電線接続用ピンを、基板接続用ピンとして用いることができる方向に曲がっていることを特徴とする。
【発明の効果】
【０００９】
本発明の第１の変圧器は、電線接続用ピンを曲げた部分によって、電線接続用ピンに巻きつけた電線が外れにくくなるため、同じ箇所に電線を１回以上（好ましくは、２重、３重…と複数回）確実に巻きつけることが可能になり、電線の電線接続用ピンへの接続を確実にすることができる。
【００１０】
また、本発明の第２の変圧器は、上記電線接続用ピンを基板接続用ピンとして利用できるように曲げることで、基板への確実な実装を可能にすると共に、接続時の抵抗を低減することができる。
【発明を実施するための最良の形態】
【００１１】
図１は、実施の形態に係る変圧器１の正面図であり、（ｂ）は（ａ）に示す変圧器１を矢印ｂより見た側面図であり、（ｃ）は（ｂ）に示す変圧器１を矢印ｃより見た底面図である。変圧器１は、１次側巻線部分３及び２次側巻線部分４を備えるボビン２に鉄芯５ａを備えるコア５を取り付けたものである。図１（ｂ）に示すように、ボビン２の底部には、当該変圧器１を図示しない基板に実装するのに用いる基板接続用ピン１７〜２０，２１〜２７に、電気的に接続又は一体形成されている，電線接続用ピン６〜９，１０〜１６が設けられている。上記基板接続用ピン１７〜２０，２１〜２７は、変圧器１の外側、本実施形態の場合、上記図示しない基板に水平な方向に向けて伸びている。また、図１（ｃ）に示すように、ボビン２の１次側巻線部分３より延びる電線は、隣り合う信号線の接触を防ぐガイド溝３０ａ，３０ｂを介して電線接続用ピン６〜９に接続されている。また、ボビン２の２次側巻線部分４より延びる電線は、ガイド溝４０ａ，４０ｂを介して電線接続用ピン２１〜２７に接続されている。
【００１２】
図２（ａ）は、電線接続用ピン９を拡大して示す図である。また、図２（ｂ）は、従来の変圧器が備えていた電線接続用ピン（図３に示す変圧器１の電線接続用ピン１０６〜１１２，１１３〜１１９）と同じ電線接続用ピン１６を示す図である。図示するように、電線接続用ピン９は、例えば、図２（ｂ）に示す従来と同じ電線接続用ピン１６と比較すると理解が容易であるが、上記電線接続用ピン１６を変圧器１の外周方向に所定長（好ましくは、電線接続用ピン１６の長さ以下とする）だけ伸ばした後、更に、基板接続用ピンとして使用できるように折り曲げ、折り曲げた後の電線接続用ピンの長さを、上記基板接続用ピンよりも長くした形状を採用する。
【００１３】
上記電線接続用ピンの折り曲げた箇所が、ピンに巻きつけた電線が外れるのを防止するように作用することによって、電線接続用ピンの同じ箇所に、電線を２重、３重と巻きつけることができる。これにより、電線接続用ピンの変圧器１の外周方向への長さを伸ばすことなく、電線を電線接続用ピンにより確実に絡げることができ、半田付けを行うまでの間に電線接続用ピンに巻きつけた電線が外れることを、効果的に防止することができる。
【００１４】
更には、上記電線接続用ピンの折り曲げた部分の上記作用により、上記電線接続用ピンの外周方向の長さを更に短くして電線接続用ピンを含めた変圧器１の占有面積を小さくしても、電線を電線接続用ピンに確実に絡げることができる。
【００１５】
また、上記電線接続用ピンを折り曲げる際に、電線接続用ピン自身を基板接続用ピンとして使用できる方向に折り曲げ、かつ、その長さを基板接続用ピンとして使用できるように調節することにより、１個の信号に対して２本の基板接続用ピンを備えることになり、基板接続用ピンの抵抗を約半分に減少することができる。
【図面の簡単な説明】
【００１６】
【図１】（ａ）は、実施の形態に係る変圧器の正面図、（ｂ）は側面図、（ｃ）は底面図を示す図である。
【図２】（ａ）は、電線接続用ピンの拡大図であり、（ｂ）は従来のものと同じ形状の電線接続用ピンの拡大図を示す図である。
【図３】（ａ）は、従来の変圧器の正面図、（ｂ）は側面図、（ｃ）は底面図を示す図である。
【符号の説明】
【００１７】
１  変圧器、２  ボビン、３  １次側巻線部、４  ２次側巻線部、５  コア、６〜９，１０〜１６  電線接続用ピン、１７〜２０，２１〜２７  基板接続用ピン、４０，５０  ガイド溝。
【図１】
2005197520.tif 000003
【図２】
2005197520.tif 000004
【図３】
2005197520.tif 000005